(57)【要約】【課題】コストの上昇及びユーザの手間の増加を抑えつつ、ネットワーク経由で接続された複数の画像処理装置間でデータ保存領域を共有可能な画像処理装置及びデータ保存領域共有システムを提供することを目的とする。【解決手段】ネットワーク５経由で接続された画像処理装置２のデータ保存領域２５を共有可能な画像処理装置１であって、画像処理装置２から機器状態を取得する機器状態取得手段と、取得した機器状態に基づき、データ保存先の画像処理装置２を決定するデータ保存先決定手段と、データ保存先の画像処理装置２にデータを転送するデータ転送手段２０と、データ保存先の画像処理装置２をデータの保存先として登録する保存先登録手段とを有することにより上記課題を解決する。【選択図】  図１
2010074307.tif 000002
【特許請求の範囲】
【請求項１】
ネットワーク経由で接続された１つ以上の他の画像処理装置のデータ保存領域を共有可能な画像処理装置であって、
前記１つ以上の他の画像処理装置から前記１つ以上の他の画像処理装置の機器状態を取得する機器状態取得手段と、
取得した前記機器状態に基づき、前記１つ以上の他の画像処理装置からデータ保存先の画像処理装置を決定するデータ保存先決定手段と、
決定された前記データ保存先の画像処理装置にデータを転送するデータ転送手段と、
決定された前記データ保存先の画像処理装置を前記データの保存先として登録する保存先登録手段と
を有する画像処理装置。
【請求項２】
前記１つ以上の他の画像処理装置が有する機能を記録した保存先機器一覧を情報として保持する保存先機器一覧保持手段を更に有し、
前記データ保存先決定手段は、転送する前記データを作成した機能と同じ機能を有していない前記画像処理装置を前記データ保存先の画像処理装置として決定することを特徴とする請求項１記載の画像処理装置。
【請求項３】
前記機器状態取得手段は、前記１つ以上の他の画像処理装置から前記１つ以上の他の画像処理装置の機器状態として補助記憶装置の残容量の情報を取得し、
前記データ保存先決定手段は、取得した前記１つ以上の他の画像処理装置の補助記憶装置の残容量に応じて前記データ保存先の画像処理装置を決定することを特徴とする請求項１記載の画像処理装置。
【請求項４】
前記機器状態取得手段は、前記１つ以上の他の画像処理装置から前記１つ以上の他の画像処理装置の機器状態として稼動状況の情報を取得し、
前記データ保存先決定手段は、取得した前記１つ以上の他の画像処理装置の稼動状況に応じて、前記データ保存先の画像処理装置を決定することを特徴とする請求項１記載の画像処理装置。
【請求項５】
前記機器状態取得手段は、前記１つ以上の他の画像処理装置から前記１つ以上の他の画像処理装置の機器状態としてセキュリティ設定の情報を取得し、
前記データ保存先決定手段は、取得した前記１つ以上の他の画像処理装置のセキュリティ設定に応じて前記データ保存先の画像処理装置を決定することを特徴とする請求項１記載の画像処理装置。
【請求項６】
前記機器状態取得手段は、前記１つ以上の他の画像処理装置から前記１つ以上の他の画像処理装置の機器状態として補助記憶装置の残容量，稼動状況の情報，セキュリティ設定の情報を取得し、
前記データ保存先決定手段は、取得した前記１つ以上の他の画像処理装置のセキュリティ設定に応じて、転送する前記データを作成した機能と同じ機能を有していない前記画像処理装置の中から前記データ保存先の画像処理装置を決定することを特徴とする請求項２記載の画像処理装置。
【請求項７】
前記データ保存先決定手段は、取得した前記機器状態に基づき、複数の他の画像処理装置からデータ保存先の画像処理装置を少なくとも二つ決定し、
前記データ転送手段は、決定された少なくとも二つの前記データ保存先の画像処理装置に同じデータ又は分割したデータを転送することを特徴とする請求項１乃至６何れか一項記載の画像処理装置。
【請求項８】
前記データ保存先の画像処理装置から電源オフを通知されると、前記データ保存先の画像処理装置から前記データを取得する例外処理手段を更に有し、
前記例外処理手段は、前記機器状態取得手段に、電源オフを通知した前記データ保存先の画像処理装置以外の前記１つ以上の他の画像処理装置から前記機器状態を取得させ、
前記データ保存先決定手段に、取得した前記機器状態に基づき、前記１つ以上の他の画像処理装置からデータ保存先の画像処理装置を決定させ、
前記データ転送手段に、決定された前記データ保存先の画像処理装置にデータを転送させ、
前記保存先登録手段に、決定された前記データ保存先の画像処理装置を前記データの保存先として登録させることを特徴とする請求項１乃至６何れか一項記載の画像処理装置。
【請求項９】
前記データ保存先の画像処理装置から電源オフを通知される例外処理手段を更に有し、
前記例外処理手段は、電源オフを通知した前記データ保存先の画像処理装置以外の前記１つ以上の他の画像処理装置からデータ保存先の画像処理装置を決定させたあと、決定させた前記データ保存先の画像処理装置の情報と転送するデータの情報とを、電源オフを通知した前記データ保存先の画像処理装置に送信して、電源オフを通知した前記データ保存先の画像処理装置にデータ転送要求を行うことを特徴とする請求項１乃至６何れか一項記載の画像処理装置。
【請求項１０】
転送するデータを暗号化する暗号化手段を更に有し、決定された前記データ保存先の画像処理装置に暗号化手段が無い場合、前記データ転送手段が送信するデータを前記暗号化手段が暗号化することを特徴とする請求項１乃至９何れか一項記載の画像処理装置。
【請求項１１】
ネットワーク経由で接続された複数の画像処理装置のデータ保存領域を前記複数の画像処理装置間で共有可能なデータ保存領域共有システムであって、
データを生成した一の画像処理装置は、１つ以上の他の画像処理装置に機器状態取得要求を行い、前記１つ以上の他の画像処理装置の機器状態を取得する機器状態取得手段と、
取得した前記機器状態に基づき、前記１つ以上の他の画像処理装置からデータ保存先の画像処理装置を決定するデータ保存先決定手段と、
決定された前記データ保存先の画像処理装置にデータを転送するデータ転送手段と、
決定された前記データ保存先の画像処理装置を前記データの保存先として登録する保存先登録手段とを有し、
前記１つ以上の他の画像処理装置は、前記一の画像処理装置からの機器状態取得要求に応じて自機の機器状態を応答する機器状態応答手段と、
前記一の画像処理装置から転送されたデータを受信し、そのデータをデータ保存領域に保存するデータ保存処理手段と、
前記データをデータ保存領域に保存した旨を前記一の画像処理装置に応答するデータ転送応答手段と
を有するデータ保存領域共有システム。
【請求項１２】
前記一の画像処理装置は、前記１つ以上の他の画像処理装置が有する機能を記録した保存先機器一覧を情報として保持する保存先機器一覧保持手段を更に有し、
前記データ保存先決定手段は、転送する前記データを作成した機能と同じ機能を有していない前記画像処理装置を前記データ保存先の画像処理装置として決定することを特徴とする請求項１１記載のデータ保存領域共有システム。
【請求項１３】
前記機器状態取得手段は、前記１つ以上の他の画像処理装置から前記１つ以上の他の画像処理装置の機器状態として補助記憶装置の残容量の情報を取得し、
前記データ保存先決定手段は、取得した前記１つ以上の他の画像処理装置の補助記憶装置の残容量に応じて前記データ保存先の画像処理装置を決定することを特徴とする請求項１１記載のデータ保存領域共有システム。
【請求項１４】
前記機器状態取得手段は、前記１つ以上の他の画像処理装置から前記１つ以上の他の画像処理装置の機器状態として稼動状況の情報を取得し、
前記データ保存先決定手段は、取得した前記１つ以上の他の画像処理装置の稼動状況に応じて、前記データ保存先の画像処理装置を決定することを特徴とする請求項１１記載のデータ保存領域共有システム。
【請求項１５】
前記機器状態取得手段は、前記１つ以上の他の画像処理装置から前記１つ以上の他の画像処理装置の機器状態としてセキュリティ設定の情報を取得し、
前記データ保存先決定手段は、取得した前記１つ以上の他の画像処理装置のセキュリティ設定に応じて前記データ保存先の画像処理装置を決定することを特徴とする請求項１１記載のデータ保存領域共有システム。
【請求項１６】
前記機器状態取得手段は、前記１つ以上の他の画像処理装置から前記１つ以上の他の画像処理装置の機器状態として補助記憶装置の残容量，稼動状況の情報，セキュリティ設定の情報を取得し、
前記データ保存先決定手段は、取得した前記１つ以上の他の画像処理装置のセキュリティ設定に応じて、転送する前記データを作成した機能と同じ機能を有していない前記画像処理装置の中から前記データ保存先の画像処理装置を決定することを特徴とする請求項１２記載のデータ保存領域共有システム。
【発明の詳細な説明】
【技術分野】
【０００１】
本発明は、画像処理装置及びデータ保存領域共有システムに係り、特にネットワーク経由で接続された複数の画像処理装置でデータ保存領域を共有する画像処理装置及びデータ保存領域共有システムに関する。
【背景技術】
【０００２】
例えばプリンタ，スキャナ，複合機などの画像処理装置は、従来、ジョブの実行などにより生成したデータを自機内のデータ保存領域に保存して管理していた。画像処理装置で生成されるデータは、例えば画像データ，ジョブログ，画像ログ等がある。しかし、画像処理装置内のデータ保存領域は保存容量が限られてしまうため、保存できるデータ量に制限があった。具体的に、従来の画像処理装置は自機内のデータ保存領域の保存容量が上限に達してしまうと、データ保存領域の保存容量を減らさなければ画像形成処理を実施不可能となっていた。
【０００３】
近年、画像処理装置はネットワークに接続できるようになった。ネットワークに接続されている画像処理装置には、ネットワーク経由で接続されている専用のサーバのデータ保存領域にデータを保存して管理しているものがあった。また、ネットワークに接続されている画像処理装置には、ユーザにより指定されたクライアントコンピュータのデータ保存領域にデータを保存して管理しているものがあった（例えば特許文献１参照）。
【０００４】
また、ネットワークに接続されている画像処理装置には、ジョブの実行などにより生成したデータを自機内のデータ保存領域に保存して管理し、ネットワーク経由で接続されているクライアントからの指示により、自機内のデータ保存領域に保存しているデータを再利用しているものがあった（例えば特許文献２，３参照）。
【特許文献１】特開２００２−１４２０６８号公報
【特許文献２】特開２００８−５９０８３号公報
【特許文献３】特開２００５−４９９８０号公報
【発明の開示】
【発明が解決しようとする課題】
【０００５】
しかしながら、専用のサーバのデータ保存領域にデータを保存して管理する場合は専用のサーバが必要となり、コストの問題があった。また、ユーザにより指定されたクライアントコンピュータのデータ保存領域にデータを保存して管理する場合は、どのクライアントコンピュータのデータ保存領域にデータを保存して管理するかをユーザが指定しなければならず、手間の問題があった。さらに、ジョブの実行などにより生成したデータを自機内のデータ保存領域に保存して管理する場合は、自機内のデータ保存領域の保存容量が限られるという問題が残されている。
【０００６】
本発明は、上記の点に鑑みなされたもので、コストの上昇及びユーザの手間の増加を抑えつつ、ネットワーク経由で接続された複数の画像処理装置間でデータ保存領域を共有可能な画像処理装置及びデータ保存領域共有システムを提供することを目的とする。
【課題を解決するための手段】
【０００７】
上記課題を解決するため、本発明は、ネットワーク経由で接続された１つ以上の他の画像処理装置のデータ保存領域を共有可能な画像処理装置であって、前記１つ以上の他の画像処理装置から前記１つ以上の他の画像処理装置の機器状態を取得する機器状態取得手段と、取得した前記機器状態に基づき、前記１つ以上の他の画像処理装置からデータ保存先の画像処理装置を決定するデータ保存先決定手段と、決定された前記データ保存先の画像処理装置にデータを転送するデータ転送手段と、決定された前記データ保存先の画像処理装置を前記データの保存先として登録する保存先登録手段とを有することを特徴とする。
【０００８】
また、上記課題を解決するため、本発明は、ネットワーク経由で接続された複数の画像処理装置のデータ保存領域を前記複数の画像処理装置間で共有可能なデータ保存領域共有システムであって、データを生成した一の画像処理装置は、１つ以上の他の画像処理装置に機器状態取得要求を行い、前記１つ以上の他の画像処理装置の機器状態を取得する機器状態取得手段と、取得した前記機器状態に基づき、前記１つ以上の他の画像処理装置からデータ保存先の画像処理装置を決定するデータ保存先決定手段と、決定された前記データ保存先の画像処理装置にデータを転送するデータ転送手段と、決定された前記データ保存先の画像処理装置を前記データの保存先として登録する保存先登録手段とを有し、前記１つ以上の他の画像処理装置は、前記一の画像処理装置からの機器状態取得要求に応じて自機の機器状態を応答する機器状態応答手段と、前記一の画像処理装置から転送されたデータを受信し、そのデータをデータ保存領域に保存するデータ保存処理手段と、前記データをデータ保存領域に保存した旨を前記一の画像処理装置に応答するデータ転送応答手段とを有することを特徴とする。
【０００９】
なお、本発明の構成要素、表現または構成要素の任意の組合せを、方法、装置、システム、コンピュータプログラム、記録媒体、データ構造などに適用したものも本発明の態様として有効である。
【発明の効果】
【００１０】
本発明によればコストの上昇及びユーザの手間の増加を抑えつつ、ネットワーク経由で接続された複数の画像処理装置間でデータ保存領域を共有可能な画像処理装置及びデータ保存領域共有システムを提供可能である。
【発明を実施するための最良の形態】
【００１１】
次に、本発明を実施するための最良の形態を、以下の実施例に基づき図面を参照しつつ説明していく。なお、本実施例では画像処理装置の一例として複合機を例に説明しているがプリンタやスキャナなど、他の画像処理装置であってもよい。
【００１２】
図１は本発明によるデータ保存領域共有システムの一例の構成図である。図１のデータ保存領域共有システムは、複合機１と複合機２とがＬＡＮなどのネットワーク５経由で接続されている。なお、図１のデータ保存共有システムは複合機１と複合機２とが連携して複合機２のデータ保存領域２５を、複合機１と複合機２とで共有する例を表している。
【００１３】
複合機１は操作パネル部１１，スキャナ部１２，ＦＡＸ部１３，コピー部１４，プリンタ部１５，データ保存領域１６，暗号部１７，保存先機器一覧保持部１８，データ分散管理部１９，データ転送部２０を有する構成である。
【００１４】
複合機２は操作パネル部２１，スキャナ部２２，ＦＡＸ部２３，コピー部２４，データ保存領域２５，データ転送部２６，データ分散管理部２７，機器状態管理部２８を有する構成である。
【００１５】
また、複合機１のデータ分散管理部１９は、例えば図２に示すような構成となる。図２はジョブの実行によりデータを生成して他の複合機に保存させる複合機のデータ分散管理部の一例のブロック構成図である。データ分散管理部１９は機器状態取得部３１，データ保存先決定部３２，保存先登録部３３，例外処理部３４を有する構成である。
【００１６】
また、複合機２のデータ分散管理部２７は、例えば図３に示すような構成となる。図３は自機のデータ保存領域に、他の複合機で生成したデータを保存する複合機のデータ分散管理部の一例のブロック構成図である。データ分散管理部２７は、機器状態応答部４１，データ保存処理部４２，データ転送応答部４３を有する構成である。
【００１７】
なお、図１〜図３に示した複合機１及び２は、ジョブの実行によりデータを生成して他の複合機に保存させる処理と、他の複合機で生成したデータを保存する処理とを説明するため、異なる構成としている。実際、複合機１及び２はジョブの実行によりデータを生成して他の複合機に保存させる処理と、他の複合機で生成したデータを保存する処理とを行う場合、複合機１と複合機２とを併せ、重複部分を削除した構成となる。
【実施例１】
【００１８】
以下では、図１〜図３に示した複合機１及び２の各ブロックについて説明する。図４はデータ保存領域共有システムの一例の基本フローを表したシーケンス図である。
【００１９】
複合機１はステップＳ１でユーザのログイン処理を行う。ここではユーザのログインが正常終了したとして説明を続ける。ステップＳ２に進み、ユーザは複合機１の操作パネル部１１からジョブスタートを指示する。ステップＳ３に進み、複合機１はジョブスタートを指示されたスキャナ部１２，ＦＡＸ部１３，コピー部１４又はプリンタ部１５がジョブを実行し、データを生成する。ステップＳ３で生成されたデータはデータ保存領域１６に保存される。なお、ステップＳ３で生成されるデータはスキャン画像，ジョブログ，画像ログ等である。
【００２０】
ステップＳ４に進み、複合機１のデータ分散管理部１９に含まれる機器状態取得部３１は複合機２のデータ分散管理部２７に含まれる機器状態応答部４１へ機器状態取得要求を行う。なお、図４のシーケンス図では図示していないが、複数の画像処理装置へ機器状態取得要求を行ってもよい。
【００２１】
実際、機器状態取得部３１は保存先機器一覧保持部１８が保持している保存先機器一覧を閲覧し、保存先機器一覧に設定されているデータ保存先候補である一つ以上の画像処理装置へ機器状態取得要求を行う。
【００２２】
機器状態応答部４１は機器状態管理部２８に機器状態取得を要求し、複合機２の機器状態を取得する。機器状態応答部４１は、例えば複合機２（自機）のＨＤＤの残容量（３０ＧＢ），稼動状況（高）を機器状態として取得する。ステップＳ５に進み、機器状態応答部４１は複合機１のデータ分散管理部１９に含まれる機器状態取得部３１へ機器状態を応答する。
【００２３】
ステップＳ６に進み、複合機１のデータ分散管理部１９に含まれるデータ保存先決定部３２は保存先機器一覧保持部１８が保持している保存先機器一覧及び機器状態取得要求の応答として取得した機器状態に基づき、後述のようにデータ保存先の画像処理装置を決定する。ここでは、複合機２がデータ保存先の画像処理装置として決定されたものとして説明を続ける。
【００２４】
ステップＳ７に進み、複合機１のデータ転送部２０はステップＳ３でデータ保存領域１６に保存されたデータを複合機２のデータ転送部２６に転送する。複合機２のデータ転送部２６は複合機１のデータ転送部２０から転送されたデータを受信する。ステップＳ８に進み、複合機２のデータ分散管理部２７に含まれるデータ保存処理部４２は複合機２（自機）のデータ保存領域２５に保存する。
【００２５】
ステップＳ９に進み、複合機２のデータ分散管理部２７に含まれるデータ転送応答部４３はステップＳ７のデータ転送に対する応答として、複合機１のデータ分散管理部１９に含まれる保存先登録部３３へ、データの保存が正常終了した旨を通知する。ステップＳ１０に進み、保存先登録部３３はデータを識別する為の情報（ＩＤなど）と、データ保存先を識別する為の情報（例えばホスト名）とを関連付けて登録しておく。
【００２６】
なお、ステップＳ３で複合機１のデータ保存領域１６に保存されたデータは、ステップＳ９でデータの保存が正常終了した旨が複合機２から通知されたあと、データ保存領域１６から削除する。
【００２７】
（データ保存先の決定）
複合機１では、データ保存先の画像処理装置をユーザが指定してもよい。図５はユーザがデータ保存先の画像処理装置を指定してデータを送信する場合の処理手順を表した一例のフローチャートである。
【００２８】
まず、ユーザは複合機１の操作パネル部１１からデータ保存先として画像処理装置を指定する。ステップＳ２１に進み、複合機１のデータ分散管理部１９に含まれるデータ保存先決定部３２は、データ保存先としてユーザに指定された画像処理装置が、保存先機器一覧保持部１８の保持している保存先機器一覧に含まれるか否かを判定する。
【００２９】
データ保存先としてユーザに指定された画像処理装置が、保存先機器一覧保持部１８の保持している保存先機器一覧に含まれていれば、データ保存先決定部３２はステップＳ２３に進み、データ転送部２０を利用して、データ保存先としてユーザに指定された画像処理装置へデータを送信する。
【００３０】
一方、データ保存先としてユーザに指定された画像処理装置が、保存先機器一覧保持部１８の保持している保存先機器一覧に含まれていなければ、データ保存先決定部３２はステップＳ２２に進み、データ保存先としてユーザに指定された画像処理装置のデータ分散管理部にアクセスし、その画像処理装置のプロパティを取得する。取得したプロパティに問題がなければ、データ保存先決定部３２はステップＳ２３に進み、データ転送部２０を利用して、データ保存先としてユーザに指定された画像処理装置へデータを送信する。
【００３１】
また、複合機１はデータ保存先の画像処理装置を以下のように決定する。図６はデータ保存先決定部がデータ保存先の画像処理装置を決定してデータを送信する場合の処理手順を表した一例のフローチャートである。なお、図６のフローチャートはデータがスキャン画像などの画像である例を表している。
【００３２】
ステップＳ３１に進み、複合機１のデータ分散管理部１９に含まれるデータ保存先決定部３２は保存先機器一覧保持部１８の保持している図７に示すような保存先機器一覧を参照し、ステップＳ３でデータを生成した機能と同じ機能を持たない画像処理装置を判定する。
【００３３】
図７は保存先機器一覧の一例の構成図である。図７に示すように、保存先機器一覧には画像処理装置（機器）毎に、ＨＤＤ容量，持っている機能が設定されている。保存先機器一覧は、複合機１が予め、データ保存先候補である画像処理装置のケーパビリティを取得して保持しているものである。例えばステップＳ３でデータを生成した機能がスキャンである場合、データ保存先決定部３２は同じ機能を持たない画像処理装置として図７の保存先機器一覧から機器Ｃ，機器Ｄを選択する。
【００３４】
ステップＳ３でデータを生成した機能と同じ機能を持たない画像処理装置が一つだけある場合、データ保存先決定部３２は、ステップＳ３でデータを生成した機能と同じ機能を持たない画像処理装置をデータ保存先として決定する。ステップＳ３７に進み、データ保存先決定部３２はデータ転送部２０を利用して、データ保存先として決定した画像処理装置へデータを送信する。このように、ステップＳ３でデータを生成した機能と同じ機能を持たない画像処理装置をデータ保存先として決定するのは、データ保存先の画像処理装置で再利用されることを防止する為である。
【００３５】
また、ステップＳ３でデータを生成した機能と同じ機能を持たない画像処理装置（対象機）がない場合、データ保存先決定部３２はステップＳ３２に進み、保存先機器一覧に含まれる全ての機器を対象機とし、ステップＳ３３に進む。
【００３６】
また、ステップＳ３でデータを生成した機能と同じ機能を持たない画像処理装置（対象機）が複数ある場合、データ保存先決定部３２はステップＳ３３に進む。ステップＳ３３では、複合機１のデータ分散管理部１９に含まれる機器状態取得部３１が対象機のデータ分散管理部にアクセスし、その対象機の機器状態を取得する。ステップＳ３３で取得する対象機の機器状態には、ＨＤＤの残容量，メモリの残容量，稼動状況，セキュリティ設定等が含まれる。
【００３７】
ＨＤＤの残容量は補助記憶装置の残容量の一例である。ＨＤＤの残容量は例えば保存されるデータ量に対して十分な容量を備えているかを判定する為に利用される。メモリの残容量は主記憶装置の残容量の一例である。メモリの残容量は例えばデータを転送、保存する上で十分な容量を備えているかを判定する為に利用される。稼動状況は例えばデータを転送、保存する上で負荷が掛かっていないかを判定する為に利用される。セキュリティ設定は、例えばＨＤＤに保存されるデータが暗号化されるか、利用者認証機能があるかを判定する為に利用される。つまり、セキュリティ設定はセキュリティの高さを表し、転送されるデータが高い安全性を求められるケース等で利用される。
【００３８】
ステップＳ３４に進み、データ保存先決定部３２はステップＳ３３で取得した対象機の機器状態に基づき、ＨＤＤの残容量が、転送されるデータの量（転送データ量）の２倍以上ある画像処理装置があるかを判定する。ＨＤＤの残容量が、転送データ量の２倍以上ある画像処理装置が一つだけある場合、データ保存先決定部３２はＨＤＤの残容量が、転送データ量の２倍以上ある画像処理装置をデータ保存先として決定する。ステップＳ３７に進み、データ保存先決定部３２はデータ転送部２０を利用して、データ保存先として決定した画像処理装置へデータを送信する。
【００３９】
ＨＤＤの残容量が、転送データ量の２倍以上ある画像処理装置がない場合、データ保存先決定部３２はステップＳ３５に進み、ステップＳ３３で取得した対象機の機器状態に基づき、ＨＤＤの残容量が、転送データ量以上ある画像処理装置があるかを判定する。
【００４０】
ＨＤＤの残容量が、転送データ量以上ある画像処理装置が一つだけある場合、データ保存先決定部３２はＨＤＤの残容量が、転送データ量以上ある画像処理装置をデータ保存先として決定する。ステップＳ３７に進み、データ保存先決定部３２はデータ転送部２０を利用して、データ保存先として決定した画像処理装置へデータを送信する。
【００４１】
ＨＤＤの残容量が、転送データ量以上ある画像処理装置が複数ある場合、データ保存先決定部３２はステップＳ３６に進み、ＨＤＤの残容量が、転送データ量以上ある画像処理装置から最も稼動状況の低調な画像処理装置をデータ保存先として決定する。ステップＳ３７に進み、データ保存先決定部３２はデータ転送部２０を利用して、データ保存先として決定した画像処理装置へデータを送信する。
【００４２】
また、ステップＳ３４において、ＨＤＤの残容量が、転送データ量の２倍以上ある画像処理装置が複数ある場合、データ保存先決定部３２はステップＳ３６に進み、ＨＤＤの残容量が、転送データ量の２倍以上ある画像処理装置から最も稼動状況の低調な画像処理装置をデータ保存先として決定する。そして、ステップＳ３７に進み、データ保存先決定部３２はデータ転送部２０を利用して、データ保存先として決定した画像処理装置へデータを送信する。
【００４３】
また、ステップＳ３５において、ＨＤＤの残容量が、転送データ量以上ある画像処理装置がない場合、データ保存先決定部３２はステップＳ３８に進み、データ保存先を決定せずに、そのまま自機のデータ保存領域１６でデータを保持する。
【００４４】
図６のフローチャートは、データ保存先の画像処理装置の決定に、保存先機器一覧保持部１８が保持している保存先機器一覧と、機器状態取得要求の応答として取得した機器状態に含まれるＨＤＤの残容量及び稼動状況とを組み合わせて利用しているが、保存先機器一覧や機器状態に含まれる情報を単独で利用してもよいし、保存先機器一覧と機器状態に含まれる情報との他の組合せであってもよい。
【００４５】
図８はデータ保存先決定部がデータ保存先の画像処理装置を決定してデータを送信する場合の処理手順を表した他の例のフローチャートである。なお、図８のフローチャートはデータがスキャン画像などの画像である例を表している。
【００４６】
ステップＳ４１に進み、複合機１のデータ分散管理部１９に含まれるデータ保存先決定部３２は自機のデータ保存領域（ＨＤＤの領域）１６が暗号化される設定になっているかを例えば自機の機器状態管理部（図示せず）に問い合わせて判定する。
【００４７】
自機のＨＤＤの領域１６が暗号化される設定になっている場合、データ保存先決定部３２はステップＳ４２に進み、保存先機器一覧にＨＤＤを暗号化可能な画像処理装置があるかを判定する。
【００４８】
保存先機器一覧にＨＤＤを暗号化可能な画像処理装置が一つだけある場合、データ保存先決定部３２は、その画像処理装置をデータ保存先として決定する。ステップＳ４３に進み、データ保存先決定部３２はデータ転送部２０を利用して、データ保存先として決定した画像処理装置へデータを送信する。
【００４９】
保存先機器一覧にＨＤＤを暗号化可能な画像処理装置が複数ある場合、データ保存先決定部３２はステップＳ４４に進む。ステップＳ４４では、ＨＤＤを暗号化可能な画像処理装置から図６に示したフローチャートでデータ保存先を決定し、データ保存先の画像処理装置へデータを送信する。
【００５０】
保存先機器一覧にＨＤＤを暗号化可能な画像処理装置がない場合、データ保存先決定部３２はステップＳ４５に進み、転送するデータ（対象データ）の機密要求値が高いか低いかを判定する。対象データの機密要求値が低ければ、データ保存先決定部３２はステップＳ４６に進み、対象データへ簡易的な暗号処理を施した後、図６に示したフローチャートでデータ保存先を決定し、データ保存先の画像処理装置へデータを送信する。対象データの機密要求値が高ければ、データ保存先決定部３２はステップＳ４７に進み、データ保存先を決定せずに、そのまま自機のデータ保存領域１６でデータを保持する。なお、機密要求値の詳細は後述する。
【００５１】
図９はデータ保存先決定部がデータ保存先の画像処理装置を決定してデータを送信する場合の処理手順を表した他の例のフローチャートである。なお、図９のフローチャートはデータがジョブログなどである例を表している。
【００５２】
ステップＳ５１に進み、複合機１の機器状態取得部３１は対象機のデータ分散管理部にアクセスし、その対象機の機器状態を取得する。ステップＳ５２に進み、データ保存先決定部３２はステップＳ５１で取得した対象機の機器状態に基づき、ＨＤＤの残容量が８割以上ある画像処理装置があるかを判定する。ＨＤＤの残容量が８割ある画像処理装置が一つだけある場合、データ保存先決定部３２は、ＨＤＤの残容量が８割ある画像処理装置をデータ保存先として決定する。ステップＳ５５に進み、データ保存先決定部３２はデータ転送部２０を利用して、データ保存先として決定した画像処理装置へデータを送信する。
【００５３】
ＨＤＤの残容量が８割以上ある画像処理装置がない場合、データ保存先決定部３２はステップＳ５３に進み、ステップＳ５１で取得した対象機の機器状態に基づき、ＨＤＤの残容量が、転送データ量以上ある画像処理装置があるかを判定する。
【００５４】
ＨＤＤの残容量が、転送データ量以上ある画像処理装置が一つだけある場合、データ保存先決定部３２はＨＤＤの残容量が、転送データ量以上ある画像処理装置をデータ保存先として決定する。ステップＳ５５に進み、データ保存先決定部３２はデータ転送部２０を利用して、データ保存先として決定した画像処理装置へデータを送信する。
【００５５】
ＨＤＤの残容量が、転送データ量以上ある画像処理装置が複数ある場合、データ保存先決定部３２はステップＳ５４に進み、ＨＤＤの残容量が、転送データ量以上ある画像処理装置から最も稼動状況の低調な画像処理装置をデータ保存先として決定する。ステップＳ５５に進み、データ保存先決定部３２はデータ転送部２０を利用して、データ保存先として決定した画像処理装置へデータを送信する。また、ステップＳ５３において、ＨＤＤの残容量が８割以上ある画像処理装置が複数ある場合、データ保存先決定部３２はステップＳ５４に進み、ＨＤＤの残容量が８割以上ある画像処理装置から最も稼動状況の低調な画像処理装置をデータ保存先として決定する。そして、ステップＳ５５に進み、データ保存先決定部３２はデータ転送部２０を利用して、データ保存先として決定した画像処理装置へデータを送信する。
【００５６】
なお、ＨＤＤの残容量が、転送データ量以上ある画像処理装置がない場合、データ保存先決定部３２はステップＳ５６に進み、データ保存先を決定せず、そのまま自機のデータ保存領域１６でデータを保持する。
【００５７】
図９のフローチャートは、データ保存先の画像処理装置の決定に、保存先機器一覧保持部１８が保持している機器状態取得要求の応答として取得した機器状態に含まれるＨＤＤの残容量及び稼動状況を組み合わせて利用しているが、保存先機器一覧や機器状態に含まれる情報を単独で利用してもよいし、保存先機器一覧と機器状態に含まれる情報との他の組合せであってもよい。
【００５８】
（データ保存領域に保存するデータ）
図４に戻り、複合機２のデータ保存領域２５に保存されるデータ（保存データ）は例えば図１０に示すようになる。図１０は保存データの詳細を説明する為の説明図である。複合機２のデータ保存領域２５に保存されるデータには、スキャン画像，ジョブログ，画像ログ等がある。
【００５９】
複合機２のデータ保存領域２５に保存されるデータには、データ保存領域２５を共有する為に必要となる共通情報が含まれる。共通情報には、保存依頼元機器の識別情報と保存データに求められる機密性（機密要求値）とが含まれる。保存依頼元機器の識別情報は保存依頼先機器の識別情報の変更，電源オフ，置換えなど、保存依頼元機器から保存依頼先機器へのアクセス方法が変わるときに、保存依頼先機器から保存依頼元機器へ通知する為に必要となる情報である。
【００６０】
保存データがスキャン画像である場合は、画像データと、ＩＤ，画像形成手段，画像サイズ，カラー／モノクロ，画像フォーマット，作成者などの書誌情報とが含まれる。保存データがジョブログである場合は、ＩＤ，画像形成手段，ユーザ名，ジョブ開始日時，終了日時，ジョブ実行条件，ジョブ要求元の機器，実行した機器などのログ情報が含まれている。保存データが画像ログである場合は、画像データと、ジョブログと同等のログ情報とが含まれている。
【００６１】
（データ保存先の登録）
図４に戻り、複合機１の保存先登録部３３はデータ保存先を例えば図１１のように登録する。図１１は保存先登録部によって登録されるデータ保存先の情報を説明する為の説明図である。図１１はデータ保存先をホスト名で特定する場合の例である。図１１はデータを識別する為のＩＤと、ホスト名とを関連付けて登録している。
【実施例２】
【００６２】
図１２はデータ保存領域共有システムの一例のフローを表したシーケンス図である。図１２のシーケンス図は複数の複合機での分散管理を表している。図１２のシーケンス図は複合機１から複合機２経由で複合機３にデータが保存される例を表している。
【００６３】
ステップＳ６１〜Ｓ６３の処理は図４のステップＳ１〜Ｓ３と同様であるため、説明を省略する。ステップＳ６４に進み、複合機１のデータ転送部２０はステップＳ６３においてデータ保存領域１６に保存されたデータを複合機２のデータ転送部２６に転送する。即ち、複合機１はデータ保存先の決定を行わず、データを複合機２へ転送している。
【００６４】
複合機２のデータ転送部２６は複合機１のデータ転送部２０から転送されたデータを受信する。ステップＳ６５に進み、複合機２のデータ分散管理部２７に含まれる機器状態取得部（図示せず）は複合機３のデータ分散管理部に含まれる機器状態応答部へ機器状態取得要求を行う。なお、図１２のシーケンス図では図示していないが、複数の画像処理装置へ機器状態取得要求を行ってもよい。
【００６５】
複合機３の機器状態応答部は機器状態管理部に機器状態取得を要求し、複合機３の機器状態を取得する。複合機３の機器状態応答部は、例えば複合機３（自機）のＨＤＤの残容量（７０ＧＢ），稼動状況（低）を機器状態として取得する。ステップＳ６６に進み、複合機３の機器状態応答部は複合機２のデータ分散管理部２７に含まれる機器状態取得部へ機器状態を応答する。
【００６６】
ステップＳ６７に進み、複合機２のデータ分散管理部２７に含まれるデータ保存先決定部（図示せず）は保存先機器一覧保持部（図示せず）が保持している保存先機器一覧及び機器状態取得要求の応答として取得した機器状態に基づき、前述のようにデータ保存先の画像処理装置を決定する。ここでは、複合機３がデータ保存先の画像処理装置として決定されたものとして説明を続ける。
【００６７】
ステップＳ６８に進み、複合機２のデータ転送部２６はステップＳ６４で複合機１から受信したデータを複合機３のデータ転送部に転送する。複合機３のデータ転送部は複合機２のデータ転送部２６から転送されたデータを受信する。ステップＳ６９に進み、複合機３のデータ分散管理部に含まれるデータ保存処理部は複合機３（自機）のデータ保存領域に保存する。
【００６８】
ステップＳ７０に進み、複合機３のデータ分散管理部に含まれるデータ転送応答部はステップＳ６８のデータ転送に対する応答として、複合機２のデータ転送部２６へ、データの保存が正常終了した旨を通知する。ステップＳ７１に進み、複合機２のデータ転送部２６はステップＳ６４のデータ転送に対する応答として、複合機１のデータ分散管理部１９に含まれる保存先登録部３３へ、データ保存先を通知する。
【００６９】
なお、ステップＳ７１で通知されるデータ保存先は、複合機２又は複合機３のどちらでもよい。ステップＳ７１で通知されるデータ保存先を複合機２とした場合は、複合機２においてもデータ保存先を複合機３として登録する。データを使う場合、複合機１は複合機２へデータ保存先を問い合わせる必要がある。また、ステップＳ７１で通知されるデータ保存先を複合機３とした場合、複合機１はデータを使うとき、複合機３へ直接、データ取得要求を行うことができる。
【００７０】
ステップＳ７２に進み、図４のステップＳ１０と同様、保存先登録部３３はデータを識別する為の情報と、データ保存先を識別する為の情報とを関連付けて登録しておく。
【実施例３】
【００７１】
図１３はデータ保存領域共有システムの一例のフローを表したシーケンス図である。図１３のシーケンス図は複数の複合機での分散管理を表している。図１３のシーケンス図は複合機１から複合機２及び複合機３にデータが保存される例を表している。
【００７２】
ステップＳ８１〜Ｓ８３の処理は図４のステップＳ１〜Ｓ３と同様であるため、説明を省略する。ステップＳ８４に進み、複合機１のデータ分散管理部１９に含まれる機器状態取得部３１は複合機２のデータ分散管理部２７に含まれる機器状態応答部４１へ機器状態取得要求を行う。
【００７３】
機器状態応答部４１は機器状態管理部２８に機器状態取得を要求し、複合機２の機器状態を取得する。機器状態応答部４１は、例えば複合機２（自機）のＨＤＤの残容量（４５ＧＢ），稼動状況（中）を機器状態として取得する。ステップＳ８５に進み、機器状態応答部４１は複合機１のデータ分散管理部１９に含まれる機器状態取得部３１へ機器状態を応答する。
【００７４】
また、ステップＳ８６に進み、複合機１のデータ分散管理部１９に含まれる機器状態取得部３１は複合機３のデータ分散管理部に含まれる機器状態応答部へ機器状態取得要求を行う。複合機３の機器状態応答部は機器状態管理部に機器状態取得を要求し、複合機３の機器状態を取得する。複合機３の機器状態応答部は、例えば複合機３（自機）のＨＤＤの残容量（７０ＧＢ），稼動状況（低）を機器状態として取得する。複合機３の機器状態応答部はステップＳ８７に進み、複合機１のデータ分散管理部１９に含まれる機器状態取得部３１へ機器状態を応答する。
【００７５】
ステップＳ８８に進み、複合機１のデータ分散管理部１９に含まれるデータ保存先決定部３２は保存先機器一覧保持部１８が保持している保存先機器一覧及び機器状態取得要求の応答として取得した機器状態に基づき、前述のようにデータ保存先の画像処理装置を決定する。ここでは、複合機２及び複合機３がデータ保存先の画像処理装置として決定されたものとして説明を続ける。なお、複合機２及び３は同じデータを重複して保存してもよいし、分割したデータを別々に保存してもよい。
【００７６】
ステップＳ８９に進み、複合機１のデータ転送部２０はステップＳ８３でデータ保存領域１６に保存されたデータを複合機２のデータ転送部２６に転送する。複合機２のデータ転送部２６は複合機１のデータ転送部２０から転送されたデータを受信する。ステップＳ９０に進み、複合機２のデータ分散管理部２７に含まれるデータ保存処理部４２は複合機２（自機）のデータ保存領域２５に保存する。
【００７７】
ステップＳ９１に進み、複合機２のデータ分散管理部２７に含まれるデータ転送応答部４３はステップＳ８９のデータ転送に対する応答として、複合機１のデータ分散管理部１９に含まれる保存先登録部３３へ、データの保存が正常終了した旨を通知する。
【００７８】
ステップＳ９２に進み、複合機１のデータ転送部２０はステップＳ８３でデータ保存領域１６に保存されたデータを複合機３のデータ転送部に転送する。複合機３のデータ転送部は、複合機１のデータ転送部２０から転送されたデータを受信する。ステップＳ９３に進み、複合機３のデータ分散管理部に含まれるデータ保存処理部は、複合機３（自機）のデータ保存領域２５に保存する。
【００７９】
ステップＳ９３に進み、複合機３のデータ分散管理部に含まれるデータ転送応答部はステップＳ９２のデータ転送に対する応答として、複合機１のデータ分散管理部１９に含まれる保存先登録部３３へ、データの保存が正常終了した旨を通知する。そして、ステップＳ９５に進み、図４のステップＳ１０と同様、保存先登録部３３はデータを識別する為の情報と、データ保存先を識別する為の情報とを関連付けて登録しておく。
【実施例４】
【００８０】
図１４はデータ保存領域共有システムの一例のフローを表したシーケンス図である。図１４のシーケンス図はデータ保存先の複合機２が電源オフとなる場合の例外処理を表している。図１４のシーケンス図はデータ保存先の複合機２が電源オフとなる為、データ保存先を複合機３に変更する例を表している。データ保存先の複合機２が保存していたデータは複合機１経由で複合機３に転送される。
【００８１】
ユーザが複合機２の電源オフを指示すると、複合機２はステップＳ１０１に進み、電源オフの為の前処理を行う。ステップＳ１０２に進み、複合機２のデータ分散管理部２７に含まれる例外処理部（図示せず）はデータ保存領域２５に保存されているデータの共通情報から保存依頼元機器の識別情報を取得する。ここで取得される保存依頼元機器の識別情報は複合機１を表している。
【００８２】
ステップＳ１０３に進み、複合機２の例外処理部は保存依頼元機器である複合機１へ電源オフを通知する。複合機２から電源オフを通知されると複合機１のデータ分散管理部１９に含まれる例外処理部３４はステップＳ１０４に進み、複合機２の例外処理部へデータ取得要求を行う。ステップＳ１０５に進み、複合機２の例外処理部は複合機１から転送されて保存していたデータをデータ転送部２６経由で複合機１に転送する。
【００８３】
複合機２から転送されたデータをデータ転送部２０が受信すると、複合機１のデータ分散管理部１９に含まれる機器状態取得部３１は電源オフとなる複合機２以外の複合機３のデータ分散管理部に含まれる機器状態応答部へ機器状態取得要求を行う。なお、図１４のシーケンス図では図示していないが、複数の画像処理装置へ機器状態取得要求を行ってもよい。
【００８４】
複合機３の機器状態応答部は、機器状態管理部に機器状態取得を要求し、複合機３の機器状態を取得する。複合機３機器状態応答部は、例えば複合機３（自機）のＨＤＤの残容量（７０ＧＢ），稼動状況（低）を機器状態として取得する。ステップＳ１０７に進み、複合機３の機器状態応答部は複合機１のデータ分散管理部１９に含まれる機器状態取得部３１へ機器状態を応答する。
【００８５】
他の複合機へデータを置き換える場合、ステップＳ１０８に進み、複合機１のデータ分散管理部１９に含まれるデータ保存先決定部３２は保存先機器一覧保持部１８が保持している保存先機器一覧及び機器状態取得要求の応答として取得した機器状態に基づき、前述のようにデータ保存先の画像処理装置を決定する。ここでは、複合機３がデータ保存先の画像処理装置として決定されたものとして説明を続ける。
【００８６】
ステップＳ１０９に進み、複合機１のデータ転送部２０はステップＳ１０５で複合機２から受信したデータを複合機３のデータ転送部に転送する。複合機３のデータ転送部は複合機１のデータ転送部２０から転送されたデータを受信する。複合機３のデータ分散管理部に含まれるデータ保存処理部はステップＳ１１０に進み、複合機３（自機）のデータ保存領域にデータを保存する。
【００８７】
ステップＳ１１１に進み、複合機３のデータ分散管理部に含まれるデータ転送応答部はステップＳ１０９のデータ転送に対する応答として、複合機１のデータ分散管理部１９に含まれる保存先登録部３３へ、データの保存が正常終了した旨を通知する。ステップＳ１１２に進み、保存先登録部３３はデータを識別する為の情報（ＩＤなど）と、データ保存先を識別する為の情報（例えばホスト名）とを関連付けて登録しておく。
【００８８】
ステップＳ１１３に進み、複合機１のデータ分散管理部１９に含まれる例外処理部３４はデータ転送完了通知を、複合機２のデータ分散管理部２７に含まれる例外処理部へ通知する。ステップＳ１１４に進み、複合機２は電源オフする。
【実施例５】
【００８９】
図１５はデータ保存領域共有システムの一例のフローを表したシーケンス図である。図１５のシーケンス図はデータ保存先の複合機２が電源オフとなる場合の例外処理を表している。図１５のシーケンス図はデータ保存先の複合機２が電源オフとなる為、データ保存先を複合機３に変更する例を表している。データ保存先の複合機２が保存していたデータは複合機２から複合機３に転送される。
【００９０】
ステップＳ１２１〜Ｓ１２３の処理は図１４のステップＳ１０１〜Ｓ１０３の処理と同様であるため、説明を省略する。他の複合機へデータを置き換える場合、ステップＳ１２４に進み、複合機１のデータ分散管理部１９に含まれるデータ保存先決定部３２は保存先機器一覧保持部１８が保持している保存先機器一覧及び機器状態取得要求の応答として取得していた機器状態に基づき、前述のようにデータ保存先の画像処理装置を決定する。ここでは、複合機３がデータ保存先の画像処理装置として決定されたものとして説明を続ける。
【００９１】
ステップＳ１２５に進み、複合機１のデータ分散管理部１９に含まれる例外処理部３４は複合機２のデータ分散管理部２７に含まれる例外処理部（図示せず）に、データのＩＤ及び機器３を指定してデータ転送要求を行う。
【００９２】
ステップＳ１２６に進み、複合機２のデータ転送部２６はステップＳ１２５のデータ転送要求で指定されたデータを複合機３のデータ転送部に転送する。複合機３のデータ転送部は複合機２のデータ転送部２６から転送されたデータを受信する。複合機３のデータ分散管理部に含まれるデータ保存処理部はステップＳ１２７に進み、複合機３のデータ保存領域にデータを保存する。
【００９３】
ステップＳ１２８に進み、複合機３のデータ分散管理部に含まれるデータ転送応答部はステップＳ１２６のデータ転送に対する応答として、複合機２のデータ分散管理部２７に含まれる保存先登録部４３へ、データの保存が正常終了した旨を通知する。ステップＳ１２９に進み、複合機２のデータ分散管理部２７に含まれる保存先登録部４３は複合機１のデータ分散管理部１９に含まれる保存先登録部３３へ、データの保存が正常終了した旨を通知する。
【００９４】
複合機１のデータ分散管理部１９に含まれる保存先登録部３３へ、データの保存が正常終了した旨を通知したあと、複合機２はステップＳ１３０に進み、電源オフする。複合機２からデータの保存が正常終了した旨を通知されると、複合機１のデータ分散管理部１９に含まれる保存先登録部３３はステップＳ１３１に進み、データを識別する為の情報（ＩＤなど）と、データ保存先を識別する為の情報（例えばホスト名）とを関連付けて登録しておく。
【実施例６】
【００９５】
実施例６のデータ保存領域共有システムは以下のように機密要求値を決定し、データ転送先の決定を行う。図１６はデータの生成時にユーザが機密要求値を決定するための画面の一例を表したイメージ図である。図１６の画面１００は例えば保存依頼元機器である複合機１の操作パネル部１１に表示される。
【００９６】
画面１００にはユーザがデータの機密要求値を決定するボタン１０１が含まれる。ボタン１０１には、データの機密要求値を低く決定する「低」、データの機密要求値を中くらいに決定する「中」、データの機密要求値を高く決定する「高」のボタンが含まれる。
【００９７】
図１７はデータの生成時に保存依頼元機器である複合機が機密設定値を決定する為の設定テーブルの一例を表したイメージ図である。図１７の設定テーブルは「ＨＤＤが暗号化されている」，「利用者認証が設定されている」，「情報に画像が含まれている」等、データ保存先の画像処理装置でデータを保存する際のセキュリティに関する項目ごとに点数が付けられている。保存依頼元機器である複合機１は図１７の設定テーブルを利用し、データの機密要求値を決定する。例えば図１７の設定テーブルの場合、「ＨＤＤが暗号化されている」，「利用者認証が設定されている」，「情報に画像が含まれている」という項目全てを複合機１が満たしていれば、生成したデータの機密要求値を「３（高）」に決定する。
【００９８】
図１８は、機密要求値によりデータ保存先の複合機を決定する処理の一例を表した構成図である。生成されたデータに対し、複合機１は機密要求値「３」を決定している。複合機２はＨＤＤが暗号化されておらず、ＨＤＤが暗号化されている複合機３よりもセキュリティが低いものとする。
【００９９】
複合機１は、生成されたデータの機密要求値が「３」であり、高い機密性が求められるため、データ保存先の画像処理装置として、ＨＤＤの残容量が複合機３よりも多い複合機２でなく、セキュリティが複合機２よりも高い複合機３を決定する。したがって、複合機１で生成されたデータは機密性の高い複合機３へ転送され、転送後も高い機密性を保つことができる。
【０１００】
図１９は機密要求値によりデータ保存先の複合機を決定する処理の一例を表したシーケンス図である。ステップＳ１４１に進み、複合機１のデータ保存先決定部１４１は、対象データの機密要求値を前述のように確認する。
【０１０１】
ステップＳ１４２に進み、複合機１の機器状態取得部３１は機器２の機器状態応答部４１にデータ保存領域２５が暗号化されているか問い合わせる。機器２の機器状態応答部４１はステップＳ１４３に進み、自機のデータ保存領域２５が暗号化されていない旨を機器状態取得部３１に応答する。ステップＳ１４４に進み、複合機１のデータ保存先決定部１４１は複合機２のデータ保存領域２５が暗号化対象でないことを認識する。
【０１０２】
ステップＳ１４５に進み、複合機１の機器状態取得部３１は機器３の機器状態応答部にデータ保存領域が暗号化されているか問い合わせる。機器３の機器状態応答部はステップＳ１４６に進み、自機のデータ保存領域が暗号化されている旨を機器状態取得部３１に応答する。ステップＳ１４７に進み、複合機１のデータ保存先決定部１４１は、複合機３のデータ保存領域が暗号化対象であることを認識する。
【０１０３】
ステップＳ１４８に進み、複合機１のデータ保存先決定部３２は保存先機器一覧保持部１８が保持している保存先機器一覧及びデータ保存領域が暗号化されているかの問い合わせの応答として取得した機器状態に基づき、前述のようにデータ保存先の画像処理装置を決定する。ここでは、複合機３がデータ保存先の画像処理装置として決定されたものとして説明を続ける。
【０１０４】
ステップＳ１４９に進み、複合機１のデータ転送部２０は複合機３のデータ転送部に対象データを転送する。複合機３のデータ転送部は複合機１のデータ転送部２０から転送された対象データを受信する。複合機３のデータ分散管理部に含まれるデータ保存処理部はステップＳ１５０に進み、複合機３（自機）のデータ保存領域にデータを保存する。
【０１０５】
ステップＳ１５１に進み、複合機３のデータ分散管理部に含まれるデータ転送応答部はステップＳ１４９のデータ転送に対する応答として、複合機１のデータ分散管理部１９に含まれる保存先登録部３３へ、データの保存が正常終了した旨を通知する。ステップＳ１５２に進み、保存先登録部３３はデータを識別する為の情報（ＩＤなど）と、データ保存先を識別する為の情報（例えばホスト名）とを関連付けて登録しておく。
【実施例７】
【０１０６】
実施例７のデータ保存領域共有システムは、機密要求値に応じて異なる転送処理を行うものである。図２０はデータ保存領域共有システムにおける機密要求値に応じた異なる転送処理を表した一例のシーケンス図である。図２０のシーケンス図は、機密要求値に応じて転送に付随する処理を追加するものである。
【０１０７】
ステップＳ１６１に進み、複合機１の機器状態取得部３１は機器２の機器状態応答部４１にデータ保存領域２５が暗号化されているか問い合わせる。機器２の機器状態応答部４１はステップＳ１６２に進み、自機のデータ保存領域２５が暗号化されていない旨を機器状態取得部３１に応答する。ステップＳ１６３に進み、複合機１のデータ保存先決定部１４１は複合機２のデータ保存領域２５が暗号化対象でないことを認識する。
【０１０８】
そこで、複合機１のデータ保存先決定部３２はステップＳ１６４に進み、対象データ（文書Ａ）を自機の暗号部１７に暗号化させる。ステップＳ１６５に進み、複合機１のデータ転送部２０は複合機２のデータ転送部２６に暗号化された対象データを転送する。複合機２のデータ分散管理部２７に含まれるデータ保存処理部４２は、複合機２のデータ保存領域２５に暗号化されたデータを保存する。なお、複合機２に転送した対象データを再利用する場合、複合機１は図２１に示すように、暗号化された対象データを複合機２から受信して、自機の暗号部１７で復号したあとで利用する。図２１は転送した対象データを再利用する処理の一例のイメージ図である。
【０１０９】
その他、複合機１はデータ保存先の複合機２のデータ保存領域２５が暗号化されていない場合、複合機２でデータを解読できなくするため、図２２に示す処理を追加するようにしてもよい。図２２はデータ保存領域共有システムにおける機密要求値に応じた異なる転送処理を表した一例のイメージ図である。
【０１１０】
複合機２で対象データ（データＡ）を解読できなくするため、図２２では複合機１が対象データ（データＡ）を２つのデータ（データＡ−，データＡ'）に分ける。例えば複合機１は対象データ（データＡ）からランダムな数カ所（データＡ'）を抜き出した対象データの一部（データＡ−）を生成する。なお、対象データの一部（データＡ−）だけでは元の対象データ（データＡ）は解読できないものとする。
【０１１１】
複合機１は対象データの一部（データＡ−）を複合機２に転送し、複合機２のデータ保存領域２５に保存させる。また、複合機１は、対象データ（データＡ）から抜き出したランダムな数カ所（データＡ'）と、そのオフセット情報とを自機のデータ保存領域に保存しておく。なお、対象データを再利用する場合、複合機１は複合機２に転送した対象データの一部（データＡ−）を複合機２から受信し、対象データの一部（データＡ−）と、対象データ（データＡ）から抜き出したランダムな数カ所（データＡ'）と、そのオフセット情報とを用いて、元の対象データ（データＡ）を復元したあとで利用する。
【０１１２】
（まとめ）
本発明によるデータ保存領域共有システムは、ネットワーク５経由で接続された複数の画像処理装置（複合機など）で連携してデータ保存領域を共有する仕組みを提供するものである。
【０１１３】
本発明によるデータ保存領域共有システムは、ユーザが各画像処理装置のデータ保存領域の容量の限度を意識することなく、複数の画像処理装置を連携したデータ保存領域の共有を、専用のサーバ無しで実現できる。例えば本発明によるデータ保存領域共有システムはユーザがデータ保存領域を考慮しなくてもスキャンを実行することができ、スキャンした画像データを再利用可能な状態で保存できる。
【０１１４】
本発明は、具体的に開示された実施例に限定されるものではなく、特許請求の範囲から逸脱することなく、種々の変形や変更が可能である。
【図面の簡単な説明】
【０１１５】
【図１】本発明によるデータ保存領域共有システムの一例の構成図である。
【図２】ジョブの実行によりデータを生成して他の複合機に保存させる複合機のデータ分散管理部の一例のブロック構成図である。
【図３】自機のデータ保存領域に他の複合機で生成したデータを保存する複合機のデータ分散管理部の一例のブロック構成図である。
【図４】データ保存領域共有システムの一例の基本フローを表したシーケンス図である。
【図５】ユーザがデータ保存先の画像処理装置を指定してデータを送信する場合の処理手順を表した一例のフローチャートである。
【図６】データ保存先決定部がデータ保存先の画像処理装置を決定してデータを送信する場合の処理手順を表した一例のフローチャートである。
【図７】保存先機器一覧の一例の構成図である。
【図８】データ保存先決定部がデータ保存先の画像処理装置を決定してデータを送信する場合の処理手順を表した他の例のフローチャートである。
【図９】データ保存先決定部がデータ保存先の画像処理装置を決定してデータを送信する場合の処理手順を表した他の例のフローチャートである。
【図１０】保存データの詳細を説明する為の説明図である。
【図１１】保存先登録部によって登録されるデータ保存先の情報を説明する為の説明図である。
【図１２】データ保存領域共有システムの一例のフローを表したシーケンス図である。
【図１３】データ保存領域共有システムの一例のフローを表したシーケンス図である。
【図１４】データ保存領域共有システムの一例のフローを表したシーケンス図である。
【図１５】データ保存領域共有システムの一例のフローを表したシーケンス図である。
【図１６】データの生成時にユーザが機密要求値を決定するための画面の一例を表したイメージ図である。
【図１７】データの生成時に保存依頼元機器である複合機が機密設定値を決定する為の設定テーブルの一例を表したイメージ図である。
【図１８】機密要求値によりデータ保存先の複合機を決定する処理の一例を表した構成図である。
【図１９】機密要求値によりデータ保存先の複合機を決定する処理の一例を表したシーケンス図である。
【図２０】データ保存領域共有システムにおける機密要求値に応じた異なる転送処理を表した一例のシーケンス図である。
【図２１】転送した対象データを再利用する処理の一例のイメージ図である。
【図２２】データ保存領域共有システムにおける機密要求値に応じた異なる転送処理を表した一例のイメージ図である。
【符号の説明】
【０１１６】
１，２，３    複合機
５    ネットワーク
１１，２１    操作パネル部
１２，２２    スキャナ部
１３，２３    ＦＡＸ部
１４，２４    コピー部
１５    プリンタ部
１６，２５    データ保存領域
１７    暗号部
１８    保存先機器一覧保持部
１９，２７    データ分散管理部
２０，２６    データ転送部
２８    機器状態管理部
３１    機器状態取得部
３２    データ保存先決定部
３３    保存先登録部
３４    例外処理部
４１    機器状態応答部
４２    データ保存処理部
４３    データ転送応答部
【図１】
2010074307.tif 000003
【図２】
2010074307.tif 000004
【図３】
2010074307.tif 000005
【図４】
2010074307.tif 000006
【図５】
2010074307.tif 000007
【図６】
2010074307.tif 000008
【図７】
2010074307.tif 000009
【図８】
2010074307.tif 000010
【図９】
2010074307.tif 000011
【図１０】
2010074307.tif 000012
【図１１】
2010074307.tif 000013
【図１２】
2010074307.tif 000014
【図１３】
2010074307.tif 000015
【図１４】
2010074307.tif 000016
【図１５】
2010074307.tif 000017
【図１６】
2010074307.tif 000018
【図１７】
2010074307.tif 000019
【図１８】
2010074307.tif 000020
【図１９】
2010074307.tif 000021
【図２０】
2010074307.tif 000022
【図２１】
2010074307.tif 000023
【図２２】
2010074307.tif 000024